(57)【特許請求の範囲】
【請求項１】
薄肉の模様付けシートを、型枠の長手方向に連続一体に延ばして型枠の垂直な内面に沿わせると共に、この長手方向におけるシートの端部又は中間部を、型枠に設けられた上下方向に延びる直線状開口部を通じて型枠の外に導出し、シートの通された直線状開口部を塞ぎ材で塞ぎ、型枠の垂直な内面に沿わされた前記模様付けシートを、該シートの自重を支えさせるように、前記直線状開口部を塞いだ塞ぎ材に保持させることで固定状態に取り付け、しかる後、コンクリートを打設し、コンクリート表面に模様を形成する模様付きコンクリート構造物の形成方法。
【請求項２】
前記塞ぎ材は、線状開口部を型枠内の空間部に面して塞ぐもので、型枠内の空間部に面する面が化粧面に形成されている請求項１に記載の模様付きコンクリート構造物の形成方法。
【請求項３】
前記線状開口部が型枠の隅部に備えられている請求項１又は２に記載のコンクリート構造物の形成方法。
【発明の詳細な説明】
【０００１】
【発明の属する技術分野】
本発明は、建物のコンクリート基礎やコンクリート壁などのコンクリート構造物の表面に、凹凸模様などの模様を形成するのに用いられる模様付きコンクリート構造物の形成方法に関する。
【０００２】
【従来の技術】
例えば住宅等の建物のコンクリート製の連続布基礎の外面に装飾用の凹凸模様を形成する方法として、多数枚のパネル状模様付け板を用い、これらを、外型枠の内面に対し、型枠の長手方向に沿って、隣り合う側縁部同士を突き合わせるなどして並べて取り付け、そして、コンクリートを打設することによって、コンクリート基礎の表面に、模様付け板の凹凸模様を転写するという方法がある。
【０００３】
【発明が解決しようとする課題】
しかしながら、この方法では、パネル状模様付け板を多数枚、型枠内面に取り付けていかなければならず、取付けに手間を要して、施工が非常に厄介であるという問題がある。
【０００４】
また、模様付け板同士が雑に隣り合わされていると、その部分の形状がコンクリート表面に転写されてしまうため、模様付け板間の調整を慎重に行いながら、取付けを進めていかなければならず、しかも、それを、多数の模様付け板のそれぞれについて実施していかなければならず、この面からも施工に手間を要する。
【０００５】
更に、パネル状の模様付け板を並べて取り付ける方法では、型枠の隅部において、模様付け板の長さが長すぎたり、隅部に届かなかったりというようなことも起こり得て、模様付け板をモジュール寸法外の任意の長さに並べて取り付けるということができないという問題もある。模様付け板を切断して寸法の調整を行うことも考えられるが、きれいに切断するのが難しく、切断部の不本意な形状がコンクリートに転写されてしまうおそれがあるという問題もある。
【０００６】
本発明は、上記のような従来の問題点に鑑み、施工を能率良く行うことができ、しかも、コンクリートの表面にきれいに模様を形成することができ、モジュール寸法外の長さにも容易に模様付けすることができる模様付きコンクリート構造物の形成方法を提供することを課題とする。
【０００７】
【課題を解決するための手段】
上記の課題は、薄肉の模様付けシートを、型枠の長手方向に連続一体に延ばして型枠内面に沿わせると共に、この長手方向におけるシートの端部又は中間部を、型枠に設けられた線状開口部を通じて型枠の外に導出して模様付けシートを型枠に取り付け、しかる後、コンクリートを打設し、コンクリート表面に模様を形成する模様付きコンクリート構造物の形成方法によって解決される。
【０００８】
この方法では、薄肉の模様付けシートを、型枠内面に沿って、型枠の長手方向に連続一体に延ばして取り付けるものであるから、型枠の内面に取り付ける模様付けシートの数が少なくてよく、そのため、模様付けシートを型枠内面に能率良く取り付けていくことができ、しかも、連続的できれいな模様をコンクリート表面に形成することができる。加えて、模様付けシートをモジュール寸法外の任意の長さに延ばして型枠内面に取り付けることができ、モジュール寸法外の長さにも容易に対応して模様付けを行っていくことができる。
【０００９】
そして、型枠の長手方向におけるシートの端部又は中間部を、型枠に設けられた線状開口部を通じて型枠の外に導出して模様付けシートを型枠に取り付けるものであるから、模様付けシートが線状開口部ないしはその近傍部において線状開口部に沿うきれいな線状をなして型枠内に面することとなり、この部分に対応するコンクリート構造物の表面をきれいに成形することができる。
【００１０】
更に、模様付けシートは、薄肉で、かつ、これを型枠の線状開口部に通して取り付けるものであるから、ロール巻きあるいは折り畳み状にすることのできる長尺な模様付けシートを用い、これを必要長さに切断して、型枠内面に取り付けていくことができ、切断部は、線状開口部を通じて型枠の外に導出させておくことで、この切断部が、コンクリート表面に形成される模様に影響することもないし、ロール巻きあるいは折り畳み状にできる長尺な模様付けシートを用いることができるので、模様付けシートの運搬、取扱い、保管等も便利に行うことができる。
【００１１】
模様付けシートの通された線状開口部を塞ぎ材にて塞ぐようにすることにより、打設したコンクリートがこの線状開口部を通じて外に漏れ出てしまうのを防ぐことができるのみならず、線状開口部の開口幅をシートを通しやすい大きめの寸法に設計することができて、模様付けシートを線状開口部に容易に通すことが可能となる。
【００１２】
この塞ぎ材にて模様付けシートを型枠に固定する構造とするときは、線状開口部を塞ぐのと同時に模様付けシートも固定され、シートの取付けを容易に行うことかできる。
【００１３】
また、この塞ぎ材が、線状開口部を型枠内に面して塞ぐもので、型枠内に面する面が化粧面に形成されているものである場合は、塞ぎ材の化粧面をコンクリート表面に転写することができて、線状開口部に対応するコンクリート表面部分をきれいに成形することができる。
【００１４】
線状開口部が型枠の隅部に備えられている場合は、コンクリート構造物の隅部間の表面を、連続一体の模様付けシートにて、一体感のあるきれいな模様面に成形することができる。しかも、模様付けシートを型枠の隅部乃至その近傍領域に対して適正に沿わせることができる。
【００１５】
【発明の実施の形態】
次に、本発明の実施形態を図面に基づいて説明する。
【００１６】
本実施形態では、コンクリート構造物として、図９に示すように、住宅等の建物の基礎１を例に挙げ、このコンクリート基礎１を、その外面に装飾用の凹凸模様２を有するものに形成する。コンクリート基礎１には、出隅部１ａと入隅部１ｂとが備えられている。
【００１７】
図１乃至図３において、３，４は内外の型枠であり、５は模様付けシートである。型枠３，４は、金属製で、コンクリート基礎１の隅部、即ち出隅部１ａと入隅部１ｂを形成する領域に設置される平面視Ｌ字形の型枠材３ａ，４ａと、Ｌ字形型枠材３ａ，４ａに連ねられる平面視直線状の型枠材３ｂ，４ｂとを組み合わせて構成されており、外型枠３の各Ｌ字形型枠材３ａ，３ａには、その両辺連接部、即ち隅角部において、上下方向に延びる直線状の開口部６，６が備えられている。この線状開口部６が、模様付けシート５の導出口となる。
【００１８】
模様付けシート５は、その一方の面が、コンクリート基礎１の表面に凹凸模様を転写するための凹凸模様面５ａに形成されており、例えば、ＥＶＡなどの合成樹脂を用いた非発泡の薄肉のシート品からなる。このシート５は、例えばロール法などを用いて長尺品に製作され、図２（ロ）に示すように巻物状、あるいは図示しないが折畳み状にコンパクトに変形させることができるものに作られている。凹凸模様５ａの模様形態については、特別の制限はなく、でこぼこ粗面状の凹凸模様や溝付き模様、リブ付き模様、あるいはそれらを組み合わせた模様など、各種形態のものであってよい。
【００１９】
なお、模様付けシート５のもう一方の面は、平坦であってもよいし、凹凸模様面５ａの凹凸形状に追従する凹凸面であってもよいし、追従しない凹凸面であってもよいし、その他であってもよい。
【００２０】
この模様付けシート５は、図１及び図２に示すように、その凹凸模様面５ａを内外型枠３，４間の空間部内に向け、外型枠３の内面に沿わせるように取り付ける。本実施形態では、外型枠３の互いに隣り合うＬ字形外型枠材３ａ…間の直線部内面を１つの模様付けシート５にてカバーするものとしていて、各Ｌ字形外型枠材３ａ…の位置において、隣り合う模様付けシート５，５の隣り合う側縁部をともにＬ字形型枠材３ａの同じ線状開口部６を通じて外型枠３の外に導出する。そして、各シート５…をたるみのない張り状態にし、シート５，５の導出された各線状開口部６…を、型枠３，４内から、塞ぎ材７にて塞ぎ、隣り合うシート５，５の側縁部を外型枠３に固定して取り付ける。
【００２１】
この塞ぎ材７として線状のものを用いている。図４（イ）（ロ）に示す化粧塞ぎ材７は、ゴム質のガスケットによるもので、これを、型枠３，４内から、シート５，５の導出された線状開口部６内に圧入することによって、線状開口部６を塞ぐと共に、模様付けシート５，５を型枠３に固定するタイプのものである。７ａは化粧面であり、この化粧面７ａにより、コンクリート構造物である基礎１の隅部稜線部が面取り状などに体裁良く成形される。
【００２２】
図５（イ）（ロ）に示すような塞ぎ材７を用いてもよい。この塞ぎ材７は、金属などによる横断面Ｌ形の線状塞ぎ本体部７ｂの両辺連接部背面に、長さ方向に間隔をおいてネジ棒７ｃを突設したものである。型枠３，４内から、シート５，５の導出された線状開口部６内を通じてネジ棒７ｃを外に突出させ、外型枠３の外において線状の座材８をネジ棒７ｃに嵌め、その外側から蝶ネジ、ナット等の雌ネジ部材９をネジ棒７ｃに螺合して締め付けることで、Ｌ形線状塞ぎ本体部７ｂにて線状開口部６を塞ぎ、同時に、Ｌ形線状塞ぎ本体部７ｂの両辺にて、隣り合う両シート５を線状開口部６近傍の型枠内面に沿わせるように押さえ付け、固定るものである。Ｌ形線状塞ぎ本体部７ｂの正面側が化粧面７ａであり、面取り部が形成されていて、この化粧面７ａにて、コンクリート基礎１の隅部稜線部が体裁良くきれいに成形される。７ｄは、線状塞ぎ本体部７ｂに設けられたシート保持層であり、ゴムなどからなる。
【００２３】
本実施形態では更に、模様付けシート５の長さ方向中間部において、その上縁部、下縁部を外型枠３にとめる取付け補助手段が備えられている。即ち、図６に示すように、模様付けシート５は、その模様面５ａ側の上下の縁部に係合凸部５ｂ，５ｃを一体に備えている。係合凸部５ｂ，５ｃは、シート５を巻物状などに変形させるのを妨げない程度の低背のものである。そして、両辺先端内面側に係合凸部１０ａ，１０ｂを有するコ字状のクリップ１０を、一方の辺の係合凸部１０ａをシート５の凸部５ｂ，５ｃに引っ掛けるようにして外型枠３に嵌合し、もう一方の係合凸部１０ｂをクリップ１０の弾性変形などによって外型枠３の外側に回り込ませ、外型枠３に係合させる。これにより、模様付けシート５の長さ方向中間部上下が外型枠３の内面に沿うようにとめられる。この取付け補助手段は必須のものではないが、シート５の長さが長いような場合には有用である。なお、取付け補助手段は、シート５の上部にのみ、あるいは、下部にのみ用いるようにしてもよい。
【００２４】
こうして模様付けシート５の取付けを終えた後、内外型枠３，４間にコンクリートを打設することで、外面に、凹凸模様２を有する図９に示すようなコンクリート基礎１が形成される。
【００２５】
図７（イ）に示す実施形態は、型枠３，４の直線部が長い場合のものである。外型枠３の直線部３ｂの中間位置において、上下方向に延びる線状開口部６が備えられている。この線状開口部６は、平面視直線状の外型枠材３ｂの長さ方向中間部に備えられたものであってもよいし、直線状に連接される平面視直線状の型枠材間に備えられたものであってもよい。この線状開口部６を通じて、隣り合う模様付けシート５，５の側縁部を外型枠３の外に導出し、シート５，５の導出された線状開口部６…を、型枠３，４内から、塞ぎ材７にて塞ぐことで、隣り合うシート５，５の側縁部を外型枠３に固定して取り付けている。このように、シート５は、必要に応じ、型枠３の隅部間において型枠の外に導出させるようにしてもよい。
【００２６】
図７（ロ）（ハ）に示す実施形態は、コンクリート基礎１の外面の長さ方向に沿って、凹凸模様を有する部分と有しない部分とを形成する場合のもので、外型枠３に備えられた線状開口部６に模様付けシート５の側縁部を１つだけ導出し、シート５の導出された線状開口部６…を、型枠３，４内から、化粧塞ぎ材７にて塞ぐことで、このシート５の側縁部を外型枠３に取り付けているものである。この取付け態様は、同図（ロ）に示すように、型枠３の直線部の長さ方向中間部位置に行われてもよいし、同図（ハ）に示すように、型枠３の隅角部において行われてもよい。
【００２７】
以上に、本発明の実施形態を示したが、本発明はこれに限られるものではなく、発明思想を逸脱しない範囲で、各種の変更が可能である。例えば、模様付けシートとして、合成樹脂のほか、紙製などのものを用いてもよいし、あるいは、片面にコンクリート硬化遅延剤を所定の模様に付着させた紙製などのシートを用いてもよい。硬化遅延剤を付着させた模様付けシートを用いる場合は、コンクリートを打設して硬化した後、コンクリートの表面に対して洗い出しを施し、コンクリート表面の未硬化表面層を除去することで、コンクリート表面に凹凸模様を形成することができる。また、コンクリートの表面に形成する模様は、凹凸の模様に限られるものではなく、各種の模様であってよい。また、建物のコンクリート基礎に限らず、壁等の各種コンクリート構造物の形成において用いられてよく、壁などの場合は、内外型枠のそれぞれに模様付けシートを取り付けて、壁の両面に模様を形成するようにしてもよいし、内型枠にのみ模様付けシートを取り付けて模様を形成するようにしてもよい。また、図８に示すように、シート５の長さ方向中間部を型枠３の線状開口部６を通じて外に導出し、線状開口部６を塞ぎ材７にて塞ぐというようにしてシート５の取付けを行うようにしてもよい。これにより、模様付けシート５を型枠３の隅部乃至その近傍領域に対し適正に沿わせることができる。また、シートを型枠のすべての隅部において導出させる必要はなく、いずれかの隅部においては、導出させることなく、隅部を回り込ませるというような施工がなされてもよい。また、塞ぎ材は化粧面を備えないものであってもよいし、線状開口部を型枠の外から塞ぐものであってもよいし、固定手段として塞ぎ材とは別のものが用いられてもよい。また、型枠の内面に取り付けられたシートの模様付け面にダミー目地材等の追加の模様付け部材を取り付け、模様付けシートと追加の模様付け部材とでコンクリート表面に模様を形成するようにしてもよいことはいうまでもない。
【００２８】
【発明の効果】
上述の次第で、本発明の模様付きコンクリート構造物の形成方法は、上記のように構成されたものであるから、施工を能率良く行うことができ、しかも、コンクリートの表面にきれいに模様を形成することができ、モジュール寸法外の長さにも容易に模様付けすることができる等の効果が奏される。
【図面の簡単な説明】
【図１】実施形態の方法を示すもので、模様付けシートを外型枠の内面に沿わせた状態を示す斜視図である。
【図２】図（イ）は外型枠の斜視図、図（ロ）は模様付けシートの斜視図、図（ハ）は塞ぎ材の斜視図である。
【図３】模様付けシートを外型枠の内面に沿わせた状態の型枠の平面断面図である。
【図４】図（イ）（ロ）はそれぞれ、模様付けシートの取付け構造を示す断面平面図である。
【図５】図（イ）（ロ）はそれぞれ、模様付けシートの取付け構造の他の例を示す断面平面図である。
【図６】模様付けシートの上下をとめる補助取付け手段を示すもので、図（イ）は全体縦断面図、図（ロ）は上部の拡大縦断面図、図（ハ）は下部の拡大縦断面図である。
【図７】図（イ）乃至図（ハ）はそれぞれ、他の実施形態を示す平面断面図である。
【図８】図（イ）及び図（ロ）はそれぞれ、更に他の実施形態を示す平面断面図である。
【図９】コンクリート基礎を示すもので、図（イ）は出隅部の斜視図、図（ロ）は入隅部の斜視図、図（ハ）は、断面図である。
【符号の説明】
３…外型枠（型枠）
５…模様付けシート
６…線状開口部
７…塞ぎ材
【図１】
0004318795.tif 000002
【図２】
0004318795.tif 000003
【図３】
0004318795.tif 000004
【図４】
0004318795.tif 000005
【図５】
0004318795.tif 000006
【図６】
0004318795.tif 000007
【図７】
0004318795.tif 000008
【図８】
0004318795.tif 000009
【図９】
0004318795.tif 000010